(57)【要約】  バーコード（２０）又は対応するデジタル画像（１８）、たとえばバーコード（２０）が部分的に重なり合うデジタル写真を改変する者に警告するために、バーコード（２０）はデジタル画像（１８）に関する情報を含む。バーコード（２０）は、画像（１８）と部分的に重なり合い、その中に統合されている。バーコード（２０）と画像（１８）内のその部分とは、必要とされる同一性のために比較される。このような警告を与えることによって、本発明は、たとえば、身分証明書を改変したり、権限のない目的のために身分証明書を使用することを困難にする。
2005512371.tif 000002
【特許請求の範囲】
【請求項１】
デジタル画像内に示された対象物の表示を生成する方法であって、
前記デジタル画像が対象物の可視識別性を提供すると共に画像情報を含み、前記画像情報は前記デジタル画像と関連する、デジタル画像を生成し、
前記画像情報の少なくともいくつかを含むバーコード記号を生成し、前記バーコード記号は、前記デジタル画像の少なくとも一部位と交差しているバー及びスペースの内少なくとも１つを有しており、
前記バーコード内に符号化された少なくとも前記のいくつかの情報を備える識別情報を含む、その下にある文書を生成し、
前記デジタル画像及び前記バーコードを前記その下にある文書内に埋め込むこと、を含む、
対象物の表示を生成する方法。
【請求項２】
前記情報を前記バーコード内に暗号化することをさらに含む、請求項１の方法。
【請求項３】
前記デジタル画像が画素から成る画像である、請求項１の方法。
【請求項４】
前記バーコードを前記デジタル画像の前記一部位と統合するために、前記デジタル画像の前記一部位内の画素のカラー特性を変更することをさらに含む、請求項３の方法。
【請求項５】
前記変更するステップが、前記バーコードのバーと交差する画素と、前記バーコードのスペースと交差する画素とを判断することを含む、請求項４の方法。
【請求項６】
前記バーコードの前記バーと交差する前記画素を暗くすることと、前記バーコードの前記スペースと交差する前記画素を明るくすることと、をさらに含む、請求項５の方法。
【請求項７】
前記明るくするステップと前記暗くするステップとが、前記バーと前記スペースとの間に少なくとも５０％のコントラストを与える、請求項６の方法。
【請求項８】
前記暗くするステップが前記画素にシアン及びブラックを加えることを備え、前記明るくするステップが前記画素からシアン及びブラックを減らすことを含む、請求項６の方法。
【請求項９】
前記デジタル画像内の少なくとも３つの画素の明度を判断することと、前記少なくとも３つの画素の対応する座標を判断することと、前記明度及び前記座標を前記バーコード内に保存することと、をさらに含む、請求項１の方法。
【請求項１０】
デジタル画像内に示された対象物の表示を生成するための装置であって、該装置が、
前記対象物の可視識別性を提供するデジタル画像を生成する動作が可能であると共に、前記デジタル画像と関連する画像情報を含む、デジタル画像生成モジュールと、
前記デジタル画像の一部位と交差するバー及びスペースの内少なくとも１つを有するバーコード記号を生成する動作が可能であると共に、該バーコード記号が前記画像情報の少なくともいくつかを含む、バーコード生成モジュールと、
その上に印刷された前記バーコード内に符号化された少なくともいくつかの情報を有する、バーコードの下にある文書を生成する動作が可能な、下にある文書生成モジュールと、
前記バーコードが前記デジタル画像及び前記下にある文書の少なくとも一部位と重なり合うように、前記デジタル画像及び前記バーコードを前記下にある文書内に埋め込む動作が可能な結合モジュールと、を備える、
装置。
【請求項１１】
前記バーコード内の前記情報を暗号化する動作が可能な暗号化モジュールをさらに備える、請求項１０の装置。
【請求項１２】
前記デジタル画像が画素から成る画像である、請求項１０の装置。
【請求項１３】
前記バーコードを前記デジタル画像の前記一部と統合するために、前記デジタル画像の前記一部位内の画素のカラー特性を変更する動作が可能な色変更モジュールをさらに備える、請求項１２の装置。
【請求項１４】
前記色変更モジュールが、さらに、前記バーコードのバーと交差する画素と、前記バーコードのスペースと交差する画素とを判断する、請求項１３の装置。
【請求項１５】
前記色変更モジュールが、さらに、前記バーコードの前記少なくとも１つのバーと交差する前記画素を暗くすると共に、前記バーコードの前記スペースと交差する前記画素を明るくする、請求項１３の装置。
【請求項１６】
前記色変更モジュールが、前記バーと前記スペースとの間に少なくとも５０％のコントラストを与える、請求項１５の装置。
【請求項１７】
前記色変更モジュールが、前記画素にシアン及びブラックを加えることによって前記画素を暗くすると共に、前記画素からシアン及びブラックを減らすことによって前記画素を明るくする、請求項１５の装置。
【請求項１８】
前記デジタル画像内に含まれた少なくとも３つの画素の明度を判断する動作が可能であり、前記少なくとも３つの画素の対応する座標を判断する動作が可能であり、前記明度及び前記座標を前記バーコード内に保存する動作が可能である画素収集モジュールをさらに備える、請求項１０の装置。
【請求項１９】
前記バーコードが、ＵＣＣ／ＥＡＮ１２８、Ｃｏｄａｂａｒ、Ｃｏｄｅ１２８、Ｃｏｄｅ３９、Ｃｏｄｅ９３、ＵＰＣ−Ａ、ＵＰＣ−Ｅ、ＪＡＮ−１３、ＩＴＦ、ＩＳＳＮ、ＩＴＦ及びＩＳＢＮの記号体系の内少なくとも１つである、請求項１０の装置。
【請求項２０】
対象物の同一性を検証する方法であって、
前記対象物の可視識別性と、前記デジタル画像に関する画像情報とを備えるデジタル画像を受け取り、
前記画像情報の少なくともいくつかを含むバーコード記号情報を備えるバーコード記号を受け取り、
その上に印刷された文書情報を有する下にある文書を受け取り、前記文書情報が前記バーコード記号内に符号化された少なくともいくつかの情報を備えており、
前記文書情報を抜き出し、
前記画像情報を電子的に抜き出し、
前記バーコード記号情報を電子的に抜き出し、
前記抜き出されたバーコード記号情報を前記文書情報及び前記画像情報の内少なくとも１つと比較し、
前記画像情報及び前記文書情報の内少なくとも１つが前記バーコード記号情報と一致する時には、前記対象物の同一性を検証すること、を含む、
方法。
【請求項２１】
画像情報を抜き出すために前記画像情報が前記デジタル情報を電子的に走査することを含み、前記画像情報が前記デジタル画像内に含まれた少なくとも３つの画素を備えた、請求項２０の方法。
【発明の詳細な説明】
【技術分野】
【０００１】
本出願は、２００１年１１月３０日に出願された、「デジタル画像及び対応するデータを確認するシステム及び方法」という名称の仮特許出願第６０／３３４，５７０号に基づいて優先権を主張し、これを参照することによってその全体の内容がこの明細書中に含まれる。
【０００２】
本発明は、バーコード内に情報を配置するためのシステム及び方法に関し、特にセキュリティクリアランス（権限）を認証するシステム及び方法に関する。
【背景技術】
【０００３】
身分証明書、運転免許証、及び認証及び／又はセキュリティクリアランスを授ける他の文書の偽造は、大きな問題となり続けている。極めて高度なテクノロジーが入手容易になったため、多くの種類の個人的及び専門的な資料の偽のコピーを、従来よりも容易に種々の偽造者が作れるようになった。画像（ｐｉｃｔｕｒｅ）又はより広範にはある種類の情報と、その下にある（台紙となる）身分証明書等文書内の他の形式での対応する情報とが、同一のものに帰属することを保証するシステムを現在入手することはできない。
【０００４】
バーコードは、その始まりから、あらゆる種類の情報を符号化するために用いられて来た。バーコードは、ここではバーコード読取り装置と呼ぶ電子的装置によって解釈されるバー及びスペース内の情報を含む。たとえば、スキャナ、ペン型スキャナ、光学的スキャナ、又は検証機を含むバーコード読取り装置は、バーコードの「記号体系（ｓｙｍｂｏｌｏｇｙ）」として知られる特定のバーコードの規則に従って、バー及びスペースの幅を測り、寸法を復号化することによってバー及びスペースを読み取る。バーコード記号体系は、バーコードパターンを作り出すための文法を基本的に提供する、一式の符号化アルゴリズムである。文字言語におけるように、バーコード記号体系は、任意の特定のコードデータに対してバー及びスペースのパターンがどのようにして形成されるかを表す文法規則を有する。認定されたバーコード記号体系の例は、ＵＣＣ／ＥＡＮ１２８，Ｃｏｄａｂａｒ，Ｃｏｄｅ１２８，Ｃｏｄｅ３９，Ｃｏｄｅ９３，ＵＰＣ−Ａ，ＵＰＣ−Ｅ，ＪＡＮ−１３，ＩＴＦ，ＩＳＳＮ，ＩＴＦ及びＩＳＢＮを含む。一般的には、読取り装置がバーを横切って掃引されるに従って、光の明るさと暗さのパルスを数えることによって、バーコード読取り装置はバーの厚さとスペースの厚さとの違いを判断する。
【０００５】
アメリカ合衆国及びカナダにおいて最も一般的なバーコード記号体系は、統一商品コード（Ｕｎｉｖｅｒｓａｌ  Ｐｒｏｄｕｃｔ  Ｃｏｄｅ（ＵＰＣ−Ａ））である。図１に示すように、ＵＰＣ−Ａバーコード記号のバー及びスペースのパターンは、単位（ｕｎｉｔ）バー１０である。単位バー１０は、任意の倍率のバーコード記号に対して所定の幅を有する細いバーである。記号内のバー及びスペースの寸法は、単位バーの丁度倍数である。このようにして、記号内の２重のバー１２は単位バー１０の２倍の幅であり、３重のバー１４は３倍の幅であり、４重のバー１６は４倍の幅である。
【０００６】
各バーコード記号は、ここではフレームバーと呼ぶ、開始文字で始まり、停止文字で終了する。フレームバーは、それが含まれている記号体系に対して固有であると共に、バーコード読取り装置に対し、記号を読み取る時にどの記号体系を求めるかを指示する。図１に示された記号内のフレームバーは、単位バー１０から成る。
【０００７】
各バーコード記号体系については、バーコードを作る指示を人に提供するための、公開された仕様書が存在する。ＡＮＳＩ規格は、各記号体系について認められた規格と広くみなされている。すべての参加者が公開された規格に準拠するように、指示と共にバーコードシステムが発行されている。バーコード記号がいかに密接にこれらの規格に合っているかを測るために、電子的検証機（ｅｌｅｃｔｒｏｎｉｃ  ｖｅｒｉｆｉｅｒｓ）が使用できる。
【０００８】
バーコード記号が読取り可能かどうかは、部分的には、バーコード読取り装置がバーコードのバー及びスペースの相対的な幅を測る能力による。バーコードリーダーがバー及びスペースの相対的な幅を識別する能力は、バーコード内のバーとスペースとの間のコントラストによる。大部分の記号体系は、暗い部分（すなわち、バー）と明るい部分（すなわち、スペース）との間のコントラストが少なくとも５０％であることを要求する。多くの記号体系については、バーとスペースとの間に少なくとも５０％のコントラストがない場合には、バーコードは読取りできないことがある。
【発明の開示】
【発明が解決しようとする課題】
【０００９】
多くの種類の身元確認資料等は、バーコードを備えている。しかしながら、最新式のグラフィックコンピュータのソフトウェアを使用すると、偽造者は身分証明書から画像を取り除き、その画像をそのカードの真実の所有者を示さない画像に置き換えることができる。
【課題を解決するための手段】
【００１０】
本発明は、デジタル画像、対応するバーコード、及びその下にある（台紙となる）個人の身分証明書等文書の変更を防止するシステム及び方法に関連する。好適な実施の形態では、たとえばデジタル画像内に含まれたビットを表す数値は、バーコード内に暗号化され、符号化されている。デジタル画像のある種類のデジタル署名がバーコード内に符号化されていることが望ましい。
【００１１】
本発明は、さらに、バーコード、対応するデジタル画像たとえばデジタル写真、又はその下にある身分証明書等文書を改変する者に警告するように向けられる。このような警告を与えることによって、本発明は、たとえば身分証明書を改変したり、権限のない目的のために身分証明書を使用したりすることを難しくする。
【００１２】
本発明によると、少なくともバーコードの一部がデジタル画像と重なり合うと共にその一部位がその下にある個人の身分証明書等文書と重なり合うように、ＲＳＳバーコードが印刷される。デジタル画像内で重なり合うバーコードと同様のバー及びスペースの広狭の連続を作り出すために、デジタル画像のカラー特性は、特にバーコードによって重ね合わされたデジタル画像の領域内で改変されるのが望ましい。デジタル画像たとえば走査された写真又はデジタル写真、及び対応するＲＳＳバーコードは身分証明書上で一緒に印刷され、身分証明書、対応するデジタル画像、及び／又はバーコードが改変されていないことを確認するために、一緒に参照される。
【００１３】
本発明は、デジタル画像と、バーコードと、その下にある文書とが、それらが効果的に分離できないようにするために互いに連結してあることが望ましい。バーコードが判別できない場合又はデジタル画像の目視検査でデジタル画像がバーコードに関連していないことが発見された場合には、セキュリティチェックが、問題の可能性があることを人に警告する。さらに、本発明は潜在的な偽造者をさらに妨害するための暗号化方法を用いる。それゆえ、本発明は、デジタル画像とバーコード内に符号化された対応するデータとが同一のものに帰属することを保証する。
【００１４】
本発明を説明するために、図面には、目下好ましいとされた形態が示されている。しかしながら、当然のことながら、本発明は示された厳密な配置と手段とに限定されない。本発明の特徴及び長所は、添付の図を参照する本発明の次の記述から、明らかになるであろう。
【発明を実施するための最良の形態】
【００１５】
本発明の好適な実施の形態では、１つのセキュリティシステムが、写真とＲＳＳバーコードとを備える身分証明書に基づいた建物又は会社のセキュリティによって用いられている。ＲＳＳバーコードは、カード所有者の写真に基づく固有のＩＤ番号に加えてカードの所有者に関する情報を含む。たとえば、画像、特にバーコードが重ね合わされた画像の部位、を走査することによって、ＩＤ番号が画像から電子的に抜き出される。バーコードが読取られた時に、ＩＤ番号がさらにバーコード読取り装置によって抜き出される。画像から検索されたＩＤ番号がバーコードから検索されたＩＤ番号と一致する場合には、改変はされていない。それゆえ、バーコードは、その下にあるデジタル画像と統合されているように見える。本発明は、読取り可能なバーコードを維持しながら、できるだけ多くのデジタル画像を保存するのが望ましい。
【００１６】
本発明の原理によると、バーコードを変更すると、バーコードスキャナでバーコードを読取りできないようになるか、又はバーコードがもはやデジタル画像の情報に関連しないようになる。さらに、デジタル画像又はバーコードを改変することは、身分証明書を目視検査しているか又はデジタル的に走査している者には明らかになる。それゆえ、何者かがデジタル画像又はバーコードのいずれかを改ざんする場合、たとえば画像を違う画像と置き換えたりバーコードが違うデータを含むようにバーコードを変更すると、バーコードと画像とは一致しなくなる。具体的には、バー及びスペースが画像と統合されているように見えないようになる。
【００１７】
好適な実施の形態において、バーコードはデジタル写真等の画像と重なり合う。バーコードの部分、たとえばバーは画像の一部位を備える。さらに、情報がスキャナ等のバーコード読取り装置によって復号化される時に画像がバーコードと対応していることを確認するように、バーコードに画像を表す情報が符号化されていることが望ましい。
【００１８】
本発明によると、デジタル画像を作るために、写真は、デジタルカメラで撮られるか、又はフィルム写真から走査される。デジタル写真画像は、デジタルバーコード画像と二つが重なり合うように組み合わされる。好適な実施の形態では、バーコードはデジタル写真画像の上に印刷されており、下にあるデジタル画像のカラー特性をバーコードに与える。バーコードの縁は、はっきりしていることが望ましく、バーコードの対応するバー又はスペースが画像と交差しているかによって、画像の色は所定の程度まで（次に詳細に示す）明るくされるか又は暗くされることが望ましい。
【００１９】
暗くされるデジタル画像の領域は、重なり合う領域内に、デジタル画素（「ピクセル」）に加えられたシアン及びブラックを有する。バーコードの「クワイエット・ゾーン（ｑｕｉｅｔ  ｚｏｎｅ）」として知られたスペースと一致する画像の領域は、シアン及びブラックのピクセル値を減らすことで明るくされる。
【００２０】
図２Ａは、人のデジタル画像１８と、デジタル画像１８の一部位と重なり合う対応するＲＳＳバーコード２０とを示す。バーコード２０は、デジタル画像１８を識別する符号化された情報を有していることが望ましい。バーコード２０がバーコード読取り装置によって読取られると、デジタル画像１８に関連する情報が抜き出される。さらに、デジタル画像１８が走査され、画像走査から検索された画像が、バーコードから検索された情報と比較される。比較によってこの二つが同一とされた場合には、バーコード２０はデジタル画像１８に属する。さらに、図２Ａに示すように、デジタル画像１８及びバーコード２０は下にある文書２２の中に埋め込まれている。
【００２１】
図２Ｂは、デジタル画像１８とＲＳＳバーコード２０との交点部分の拡大された部位を示す。図２Ｂに示すように、デジタル画像１８の部位は、バーコード２０のバー及びスペース内の目視検査によって判断できる。これによって、デジタル画像１８及びバーコード２０を見ている者が、二つが同一のものに帰属すると判断できる。
【００２２】
もっと詳細には、ピクセルの暗さを判断するために１ビットから２５６ビットまでの範囲にあるシアン及びブラックのピクセルを有する画像が測定され、読取り可能なバーコードを提供するために必要に応じて画像が変更される。本発明の好適な実施の形態では、１２８ビット未満の任意のピクセルが５０％未満のグレーと考えられ、同様に、１２８ビットより多い任意のピクセルが５０％より多いグレーと考えられる。たとえば、画像の明るいピクセルであってバーコードのクワイエット・ゾーンを含むピクセルは７５ビットを備える。バーコードの暗い領域とクワイエット・ゾーンとの間のコントラストを適切にし、それによって、バーコード読取り装置によってバーコードが読取り可能にするために、暗い部位すなわちバーコードのバーは、少なくとも７５ビットに１２８ビットを加えて、すなわち２０３ビットを有するピクセルからなる。本発明は、バーコードのクワイエット・ゾーンとバーとを備える画像の各ピクセルを分析することが望ましく、必要な場合には、バーとクワイエット・ゾーンとの間の適切なコントラストを保証するために、上記の例では、バーコードのバーを含む部位において少なくとも２０３ビットまでシアン及びブラックの値を増やすことが望ましい。
【００２３】
さらに  バーとクワイエット・ゾーンとの間に不適切なコントラストが存在すると本発明が判断した後に、バーコードのクワイエット・ゾーンに対応する画像のシアン及びブラックのピクセル値は減らされる。たとえば、バーコードのバーを備える画像内のすべてのピクセルが２００ビットを備える場合には、バーコードのバーとの間のコントラストが適切になるように、クワイエット・ゾーンを構成するすべてのスペースは２００ビットから１２８ビットを減じ、すなわち７２ビットを備える。
【００２４】
上述のように、バーコードがバーコード読取り装置によって読取り可能にするための、バーとスペースとの間のコントラスト値は、少なくとも５０％である。それゆえ、シアン、マジェンタ、イエロー、及びブラック（「ＣＭＹＫ」）の色における画像出力については、クワイエット・ゾーンに対して少なくとも５０％のコントラストを与えるために、バーコードのバーと対応する画像領域に加えられるシアン及びブラックの量が、たとえばそれらの本来の値の少なくとも２５％増やされる。バーコード読取り装置は一般的にマジェンタ及びイエローを知覚できないので、本発明の好適な実施の形態では、シアン及びブラックのピクセルのみが暗くされるか又は明るくされる。
【００２５】
バーコードのバー及びスペースと対応する画像部位内のピクセルをこのように調整することによって、人によって目視検査した場合に、変更された画像が本来の改変されていない画像と十分類似していると認識しうることが保証される。得られた画像がデジタル画像を見る人によって認識し得ると共に、バーコードがバーコード読取り装置によって読取り可能であることが望ましい。
【００２６】
デジタル画像の上に重ね合わされると共に、デジタル画像のピクセルを備えるバーコード画像を提供することに加えて、バーコードと対応する画像とが同一のものに帰属することを保証するために、本発明は、追加した安全保証（セキュリティ）層を提供する。もっと具体的には、デジタル画像内に含まれている少なくとも３つのピクセル値が本発明によって確かめられ、バーコード内に符号化される。たとえば、３つの座標に存在するピクセルのＣＭＹＫ値を判断するために、デジタル画像の３つの座標（たとえば、ＸＹ座標）が識別され、分析される。ＣＭＹＫ値及びそれらの特定の座標は、バーコード内に符号化されることが望ましい。デジタル画像の認証を確認するための効果的な相互参照を提供するために、本発明によって３つのピクセル値が用いられるのが望ましい。たとえば、デジタル画像が再生されると、画像についてスケーリング等の均一な変化及びＣＭＹＫ値が生じる。３つのピクセル及びそれらの対応する座標に頼ることによって、画像を認証するために、本発明は相対値を用いる。生成又は再生の間にデジタル画像が一様に影響される限り、ピクセル間の相対的距離とピクセル間の相対的相違とは同じである。本発明は、生成された（又は再生された）デジタル画像内で、ピクセル間の距離の相対的相違及びピクセル値の相対的相違を判断することが望ましい。判断によって相対的相違がピクセルすべてについて同じであることが明らかになった場合には、デジタル画像は改変されていないとみなされる。本発明によってバーコード内のより多くのピクセル及び対応する座標が分析され符号化されると、デジタル画像を認証する時の正確さの可能性がより高くなる。
【００２７】
さらに、本発明によって提供されたセキュリティの有効性を増すため、バーコード内に符号化された情報を無節操な偽造者が抜き出すことができたとしても、それぞれの値を識別できないように、ピクセル値及び対応する座標はバーコード内で暗号化されていることが望ましい。
【００２８】
図３は、本発明による、デジタル画像１８と、ＲＳＳバーコード２０と、その下にある文書とを組み合わせるためのステップに対応するフローチャートを示す。ステップＳ１００に示すように、デジタル画像が生成されて、人の同一性を確認するために用いられる。デジタル画像は、たとえば、その下にある身分証明書等文書と関連した人の顔を示す。画像が用意された後に、少なくとも３つの座標、たとえばＸＹ座標がデジタル画像から選ばれ、座標に対応するピクセル値が判断される（ステップＳ１０２）。その後、下にある文書と関連した人に関する情報と、それぞれのＸＹ座標と、その中に符号化された対応するピクセル値と、任意の追加の情報、たとえばその下にある文書に関連する情報とを有するバーコード、たとえばＲＳＳバーコードが生成される（ステップＳ１０４）。
【００２９】
図３で示されたフローチャートの説明を続けると、バーコード２０の一部位がデジタル画像１８と重なり合うように、バーコード２０はデジタル画像１８の上に置かれる（ステップＳ１０６）。バーコードの一部位がデジタル画像１８の上に置かれた後に、バーコード２０のバー及びスペースと交差するピクセルが、ここで記述された処理（ステップＳ１０８）に従って暗くされたり、明るくされることが望ましい。バーコード２０のバーとスペ−スとの間のコントラストを適切にするためにピクセルが調節された後に、デジタル画像１８及びバーコード２０がその下にある文書内に埋め込まれることが望ましい（ステップＳ１１０）。
【００３０】
ユーザが自分の身分証明書を提示する時、たとえば制限区域にアクセスするために、本発明は、バーコードを読取り、画像内の少なくとも３つの座標と、座標にあるピクセルの対応するＣＭＹＫ値とを抜き出す。本発明の好適な実施の形態では、フラットベッドスキャナ等の走査装置によって画像が走査され、それぞれの座標にあるピクセルのＣＭＹＫ値が判断される。ＣＭＹＫ値がバーコード内に符号化されている値と一致する場合には、制限区域へのアクセスを許可する者は、バーコードが身分証明書上の画像に属しているという確認を受け取る。
【００３１】
図４は、本発明の１つの実施の形態に従って生成された画像、バーコード、又はその下にある身分証明書等文書が改変されたかを判断するためのステップに対応するフローチャートを示す。建物の制限区域にアクセスするために、最初に、身分証明書の所有者は自分の身分証明書を警備員に示す（ステップＳ２００）。ステップＳ２０２では、バーコード読取り装置が身分証明書内に含まれたバーコードを読み取ろうとする。バーコードが読取り可能であるかが判断される（ステップＳ２０４）。バーコードが読取り不可能である場合には、身分証明書が呈示されなかった場合と同じステップ、たとえば警告が発せられて所有者の制限区域へのアクセスが許されない等、が行なわれる（ステップＳ２０６）。
【００３２】
図４のフローチャートを続けると、ステップＳ２０４でバーコードが無事にバーコード読取り装置によって読取られた場合には、ステップＳ２０８で、身分証明書内の対応する画像が、たとえばフラットベッドスキャナによって走査される。次に、走査された画像内の情報がバーコード内の情報と一致するかが判断される（ステップＳ２１０）。情報が一致しない場合には、処理はステップＳ２０６に進み、警告が発せられる。情報が一致する場合には、バーコード内に符号化された情報が身分証明書上に印刷された情報と比較される（ステップＳ２１２）。たとえば、識別番号が身分証明書上に印刷されており、これがバーコードから検索された値と比較される。その後、バーコード内の情報がカード上に印刷された情報と一致するかが判断される（ステップＳ２１４）。バーコードから抜き出された値が身分証明書上の識別子と一致しない場合には、処理はステップＳ２０６に進み、警告が発せられ、ユーザは制限区域へのアクセスが許されない。バーコード内の情報が身分証明書上に印刷された情報と一致する場合には、カードは改変されていないとみなされ、ユーザは次に進むことが認証される（ステップＳ２１６）。
【００３３】
図４で示されたフローチャート内に対応する複数のステップは、本発明の１つの実施の形態を示す。もちろん当業者であれば、本発明の原理から逸脱しない範囲でこれらのステップに対し多くの変更が許容可能であることを認識するであろう。たとえば、ステップの順番を変えても良く、すなわちバーコードはデジタル画像の走査と同時に走査可能である。
【００３４】
このようにして、ここで提供されたシステム及び方法を用いて生成された身分証明書を、たとえば未改変の身分証明書上の画像を新しい画像に置き換えることによって偽造しようとする場合でも、画像の上にバーコードを重ね合わせ、未改変のバーコード内に提供されたすべての同一情報で符号化する必要がある。無節操な偽造者がデジタル画像からバーコードを作り出すことができ、バーコードを身分証明書と継ぎ目なく接合しているようにしようとしても、本来の画像内のピクセル値を示すバーコード内に符号化された情報は、新しい改変されたデジタル画像と一致しないだろう。
【００３５】
本発明は、身分証明書又は他の文書上の画像と付属情報とが同一のものに帰属することを保証する。画像に関する情報は、２次元のコンポーネントを有するＲＳＳバーコード等のバーコードに符号化されている。バーコード画像は、一部位が写真画像と重なり合い、一部位が文書と重なり合い、一部位がその下にある文書たとえば身分証明書と重なり合うように、配置されている。写真画像と、バーコードと、文書とを共に結合することで、不可能ではないにせよ、オリジナルの身分証明書の改ざんは極めて困難になる。
【００３６】
本発明を特定の実施の形態に関連して説明して来たが、多くの変形及び修正並びに他の使用が当業者には自明となろう。それゆえ、本発明は特定の開示によって制限されない。
【図面の簡単な説明】
【００３７】
【図１】一般的なＵＰＣバーコード記号を示す。
【図２Ａ】本発明によるデジタル画像及び重なり合うバーコードを説明する。
【図２Ｂ】本発明によるデジタル画像のピクセルの修正を説明するための、図２Ａの拡大された部位を示す。
【図３】本発明による、デジタル画像と、ＲＳＳバーコードと、その下にある文書とを組み合わせるためのステップに対応するフローチャートを示す。
【図４】本発明の１つの実施の形態によって作られた画像、バーコード、又は身分証明書等その下にある文書が改変されたかを判断するためのステップに対応するフローチャートを示す。
【図１】
2005512371.tif 000003
【図２Ａ】
2005512371.tif 000004
【図２Ｂ】
2005512371.tif 000005
【図３】
2005512371.tif 000006
【図４】
2005512371.tif 000007
【国際調査報告】
2005512371.tif 000008